【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
構成可変アンテナを備えた第２のネットワークデバイスにおいて、前記第２のネットワークデバイスと第１のネットワークデバイスとの間のワイヤレスネットワーク接続を最適化する方法であって、
−前記第２のネットワークデバイスと前記第１のネットワークデバイスとの間のデータ接続を確立するステップと、
−前記第１のネットワークデバイスから、前記データ接続を介して、前記第１のネットワークデバイスが、ワイヤレスネットワークを使用して、データを受信することができる全ての第３のネットワークデバイスの識別を含む第１のデバイスシーンリストを受信するステップと、
−前記第２のネットワークデバイスにおいて、前記第２のネットワークデバイスが、前記ワイヤレスネットワークおよび前記構成可変アンテナを使用して、前記第１のデバイスシーンリストに含まれるもの以外の第３のネットワークデバイスである任意のエクストラネットワークデバイスからデータを受信することができるかどうかをテストするステップと、
−前記第２のネットワークデバイスが任意のエクストラネットワークデバイスからデータを受信することができる場合、エクストラネットワークデバイスの数が減少するように前記構成可変アンテナを修正するステップと、
を含む、前記方法。
【請求項２】
第１のネットワークデバイスと、構成可変アンテナを備えた第２のネットワークデバイスとの間のワイヤレスネットワーク接続を最適化する方法であって、
−前記第１のネットワークデバイスと前記第２のネットワークデバイスとの間のデータ接続を確立するステップと、
−前記第１のネットワークデバイスから、前記データ接続を介して、前記第２のネットワークデバイスへ、前記第１のネットワークデバイスが、ワイヤレスネットワークを使用して、データを受信することができる全ての第３のネットワークデバイスの識別を含む第１のデバイスシーンリストを送信するステップと、
−前記第２のネットワークデバイスにおいて、前記第２のネットワークデバイスが、前記ワイヤレスネットワークおよび前記構成可変アンテナを使用して、前記第１のデバイスシーンリストに含まれるもの以外の第３のネットワークデバイスである任意のエクストラネットワークデバイスからデータを受信することができるかどうかをテストするステップと、
−前記第２のネットワークデバイスが任意のエクストラネットワークデバイスからデータを受信することができる場合、エクストラネットワークデバイスの数が減少するように前記構成可変アンテナを修正するステップと、
を含む、前記方法。
【請求項３】
前記テストするステップは、
−前記第１のデバイスシーンリストを、前記第２のネットワークデバイスが、前記構成可変アンテナを使用した場合に、データを受信することができる全ての第３のネットワークデバイスの識別を含む第２のデバイスシーンリストと比較するステップであって、前記第２のデバイスシーンリストが前記第１のデバイスシーンリスト内に含まれない第３のネットワークデバイスの識別を含む場合に、前記第２のネットワークデバイスが、任意のエクストラネットワークデバイスからデータを受信することができるとみなす、前記比較するステップを含む、請求項１または２に記載の方法。
【請求項４】
構成可変アンテナが個々にアクティブまたはパッシブになることができる区別可能なアンテナセクタを有する第２のネットワークデバイスにおいて使用され、前記修正するステップは、前記アンテナセクタの各々について、パッシブに設定するとエクストラネットワークデバイスの数が減少する場合に、パッシブに設定するステップを含む、請求項１に記載の方法。
【請求項５】
最初に、全てのアンテナセクタをアクティブに設定する、請求項４に記載の方法。
【請求項６】
前記修正するステップは、前記アンテナセクタの各々について、アクティブに設定するとエクストラネットワークデバイスの数が増加しない場合に、アクティブに設定することを含む、請求項４に記載の方法。
【請求項７】
前記ワイヤレスネットワーク接続を使用して、前記データ接続が確立される、請求項１から６のいずれかに記載の方法。
【請求項８】
前記データ接続に対して、前記構成可変アンテナは無指向性モードで動作する、請求項７に記載の方法。
【請求項９】
前記データ接続は、前記ワイヤレスネットワーク接続とは異なる手段で確立される、請求項１から６のいずれかに記載の方法。
【請求項１０】
構成可変アンテナを有し、請求項１に記載の方法を実行するように装備されかつ構成されたネットワークデバイス。
【請求項１１】
ワイヤレスネットワーク接続を最適化するシステムであって、第１のネットワークデバイスと構成可変アンテナを有する第２のネットワークデバイスとを備え、前記第１のネットワークデバイスは、前記第２のネットワークデバイスとのデータ接続を確立して、前記データ接続を介して前記第２のネットワークデバイスに、前記第１のネットワークデバイスが、ワイヤレスネットワークを使用して、データを受信することができる全ての第３のネットワークデバイスの識別を有する第１のデバイスシーンリストを送信するように装備されかつ構成され、前記第２のネットワークデバイスは、請求項１に記載の方法を実行するように装備されかつ構成された、前記システム。
【手続補正２】
【補正対象書類名】明細書
【補正対象項目名】００３８
【補正方法】変更
【補正の内容】
【００３８】
言い換えると、本発明は、少なくとも１つのデバイスが構成可変アンテナを備える場合に、ワイヤレスネットワーク接続を最適化する方法を提案する。隠れノード問題を回避するために、構成可変アンテナを備えるネットワークデバイスによってのみ見られる第３のネットワークデバイスの数が最小化されるように、構成可変アンテナを修正することが提案される。
（付記１）
構成可変アンテナを備えた第２のネットワークデバイス（２０９）において、第２のネットワークデバイス（２０９）と第１のネットワークデバイス（１０１）との間のワイヤレスネットワーク接続を最適化する方法であって、
−前記第２のネットワークデバイス（２０９）と前記第１のネットワークデバイス（１０１）との間のデータ接続を確立するステップと、
−前記第１のネットワークデバイス（１０１）から、前記データ接続を介して、前記第１のネットワークデバイス（１０１）が、ワイヤレスネットワークを使用して、データを受信することができる全ての第３のネットワークデバイス（２１０）の識別を含む第１のデバイスシーンリストを受信するステップと、
−前記第２のネットワークデバイス（２０９）において、前記第２のネットワークデバイス（２０９）が、前記ワイヤレスネットワークおよび前記構成可変アンテナを使用して、前記第１のデバイスシーンリストに含まれるもの以外の第３のネットワークデバイス（１０５、１０７）である任意のエクストラネットワークデバイスからデータを受信することができるかどうかをテストするステップと、
−前記第２のネットワークデバイス（２０９）が任意のエクストラネットワークデバイスからデータを受信することができる場合、エクストラネットワークデバイスの数が減少するように前記構成可変アンテナを修正するステップと、
を含む、前記方法。
（付記２）
第１のネットワークデバイス（１０１）と、構成可変アンテナを備えた第２のネットワークデバイス（２０９）との間のワイヤレスネットワーク接続を最適化する方法であって、
−前記第１のネットワークデバイス（１０１）と前記第２のネットワークデバイス（２０９）との間のデータ接続を確立するステップと、
−前記第１のネットワークデバイス（１０１）から、前記データ接続を介して、前記第２のネットワークデバイス（２０９）へ、前記第１のネットワークデバイス（１０１）が、前記ワイヤレスネットワークを使用して、データを受信することができる全ての第３のネットワークデバイス（２１０）の識別を含む第１のデバイスシーンリストを送信するステップと、
−前記第２のネットワークデバイス（２０９）において、前記第２のネットワークデバイス（２０９）が、前記ワイヤレスネットワークおよび前記構成可変アンテナを使用して、前記第１のデバイスシーンリストに含まれるもの以外の第３のネットワークデバイス（１０５、１０７）である任意のエクストラネットワークデバイスからデータを受信することができるかどうかをテストするステップと、
−前記第２のネットワークデバイス（２０９）が任意のエクストラネットワークデバイスからデータを受信することができる場合、エクストラネットワークデバイスの数が減少するように前記構成可変アンテナを修正するステップと、
を含む、前記方法。
（付記３）
前記テストするステップは、
−前記第２のネットワークデバイス（２０９）が、前記構成可変アンテナを使用した場合に、データを受信することができる全ての第３のネットワークデバイス（１０５、１０７、２１０）の識別を含む第２のデバイスシーンリストをコンパイルするステップと、
−前記第１のデバイスシーンリストを前記第２のデバイスシーンリストと比較するステップであって、前記第２のデバイスシーンリストが前記第１のデバイスシーンリスト内に含まれない第３のネットワークデバイスの識別を含む場合に、前記第２のネットワークデバイス（２０９）が、任意のエクストラネットワークデバイスからデータを受信することができるとみなす、前記比較するステップを含む、付記１または２に記載の方法。
（付記４）
構成可変アンテナが個々にアクティブまたはパッシブになることができる区別可能なアンテナセクタ（２０１、２０２、２０３、２０４、２０５、２０６、２０７、２０８）を有する第２のネットワークデバイス（２０９）において使用され、前記修正するステップは、前記アンテナセクタの各々について、パッシブに設定するとエクストラネットワークデバイスの数が減少する場合に、パッシブに設定することを含む、付記１に記載の方法。
（付記５）
最初に、全てのアンテナセクタをアクティブに設定する、付記４に記載の方法。
（付記６）
前記修正するステップは、前記アンテナセクタの各々について、アクティブに設定するとエクストラネットワークデバイスの数が増加しない場合に、アクティブに設定することを含む、付記４に記載の方法。
（付記７）
前記ワイヤレスネットワーク接続を使用して、前記データ接続が確立される、付記１から６のいずれかに記載の方法。
（付記８）
前記データ接続に対して、前記構成可変アンテナは無指向性モードで動作する、付記７に記載の方法。
（付記９）
前記データ接続は、前記ワイヤレスネットワーク接続とは異なる手段で確立される、付記１から６のいずれかに記載の方法。
（付記１０）
構成可変アンテナを有し、付記１に記載の方法を実行するように装備されかつ構成されたネットワークデバイス（２０９）。
（付記１１）
ワイヤレスネットワーク接続を最適化するシステムであって、第１のネットワークデバイス（１０１）と構成可変アンテナを有する第２のネットワークデバイス（２０９）とを備え、前記第１のネットワークデバイス（１０１）は、前記第２のネットワークデバイス（２０９）とのデータ接続を確立して、前記データ接続を介して前記第２のネットワークデバイス（２０９）に、前記第１のネットワークデバイス（１０１）が、ワイヤレスネットワークを使用して、データを受信することができる全ての第３のネットワークデバイス（２１０）の識別を有する第１のデバイスシーンリストを送信するように装備されかつ構成され、前記第２のネットワークデバイス（２０９）は、付記１に記載の方法を実行するように装備されかつ構成された、前記システム。